(57)【要約】【課題】ユーザーが読取り対象の原稿をコンタクトガラス上の正しい位置に載置することができ、かつ載置した原稿がその正しい位置からずれることがないことを可能にする。【解決手段】原稿読取装置は、コンタクトガラスを有する原稿載置台と、原稿押さえ機構と、原稿読取ユニットとを備える。原稿押さえ機構は、原稿載置台に対して開閉自在に設けられ、閉じられた状態においてコンタクトガラスを上方から覆う平板形の補助押さえ部材と、原稿載置台に対して開閉自在に設けられ、閉じられた状態において補助押さえ部材を上方から覆う本押さえ部材とを有する。補助押さえ部材の主面には、貫通孔が形成されている。【選択図】図２
2017034414.tif 000002
【特許請求の範囲】
【請求項１】
コンタクトガラスを有する原稿載置台と、
前記コンタクトガラス上に載置された原稿を上方から押さえる原稿押さえ機構と、
前記原稿押さえ機構により押さえられた原稿を光学的に読み取る原稿読取ユニットと、を備え、
前記原稿押さえ機構は、
前記原稿載置台に対して開閉自在に設けられ、閉じられた状態において前記コンタクトガラスを上方から覆う平板形の補助押さえ部材と、
前記原稿載置台に対して開閉自在に設けられ、閉じられた状態において前記補助押さえ部材を上方から覆う本押さえ部材と、を有し、
前記補助押さえ部材の主面に、貫通孔が形成されている、原稿読取装置。
【請求項２】
前記本押さえ部材は、白色のプラテンを有し、
前記補助押さえ部材は、光透過性の部材から構成され、
前記補助押さえ部材の前記主面には、前記補助押さえ部材が閉じられた状態において、前記コンタクトガラス上において原稿を載置すべき領域を用紙サイズが異なる原稿毎に示した複数の白色のガイド線が形成されている、請求項１に記載の原稿読取装置。
【請求項３】
前記補助押さえ部材の前記主面は、前記複数のガイド線により用紙サイズが異なる原稿毎に対応した複数の領域に分割されており、
前記貫通孔の開口は、前記複数の領域のうち少なくとも２つの領域を跨いでいる、請求項２に記載の原稿読取装置。
【請求項４】
前記補助押さえ部材は、前記主面が矩形であり、
前記貫通孔の開口は、前記矩形を構成する四辺のうちの一辺に沿って延びた長尺形である、請求項３に記載の原稿読取装置。
【請求項５】
前記補助押さえ部材は、前記主面が矩形であり、
前記貫通孔の開口は、前記矩形を構成する四辺のそれぞれに対して角度を有する方向に延びた長尺形である、請求項３に記載の原稿読取装置。
【請求項６】
前記補助押さえ部材は、前記主面が矩形であり、
前記貫通孔の開口は、前記矩形を構成する四辺のうちの一辺に沿って延びた長尺形の開口と、前記一辺に直交する辺に沿って延びた長尺形の開口とが交差してなる十字形の開口である、請求項３に記載の原稿読取装置。
【請求項７】
前記補助押さえ部材の前記主面は、前記複数のガイド線により用紙サイズが異なる原稿毎に対応した複数の領域に分割されており、
前記貫通孔は、前記複数の領域のそれぞれに少なくとも１つずつ形成されている、請求項２に記載の原稿読取装置。
【請求項８】
請求項１乃至請求項７の何れか１項に記載の原稿読取装置と、
前記原稿読取装置が原稿を読み取って取得した画像を記録紙に形成する画像形成部と、を備える画像形成装置。
【発明の詳細な説明】
【技術分野】
【０００１】
本発明は、原稿読取装置および原稿読取装置を備える画像形成装置に関する。
【背景技術】
【０００２】
スキャナー等の原稿読取装置は、一般に、原稿が載置されるコンタクトガラスを有する原稿載置台と、原稿載置台に対して開閉自在に設けられ、コンタクトガラス上に載置された原稿を上方から押さえる原稿押さえ部材と、原稿押さえ部材により押さえられた原稿を光学的に読み取る原稿読取ユニットとを備えている（例えば、特許文献１参照）。ユーザーは、原稿の読み取りを行う際には、（１）原稿押さえ部材を開き、（２）コンタクトガラス上に原稿を載置し、（３）原稿押さえ部材を閉じ、（４）原稿読取指示を原稿読取装置に入力する、という４つの手順を順に行う。
【先行技術文献】
【特許文献】
【０００３】
【特許文献１】特開２０１３−９３６７５号公報
【発明の概要】
【発明が解決しようとする課題】
【０００４】
一般に原稿載置台には、コンタクトガラス上において原稿を載置すべき領域を示す目盛りが設けられている。ユーザーは、この目盛りを参考にして上記の（２）の手順、すなわちコンタクトガラス上に原稿を載置する手順を行う。しかしながら、その後の原稿押さえ部材を閉じる上記の（３）の手順において原稿押さえ部材を閉じる際に生じる風等により、原稿が正しい位置からずれる場合がある。この場合、ユーザーの所望する出力（画像データや印刷物等）が得られない。
【０００５】
本発明は、上記の事情に鑑みなされたものであり、ユーザーが読取り対象の原稿をコンタクトガラス上の正しい位置に載置することができ、かつ載置した原稿がその正しい位置からずれることがないことを可能にすることを目的とする。
【課題を解決するための手段】
【０００６】
本発明の一局面にかかる原稿読取装置は、コンタクトガラスを有する原稿載置台と、前記コンタクトガラス上に載置された原稿を上方から押さえる原稿押さえ機構と、前記原稿押さえ機構により押さえられた原稿を光学的に読み取る原稿読取ユニットと、を備え、前記原稿押さえ機構は、前記原稿載置台に対して開閉自在に設けられ、閉じられた状態において前記コンタクトガラスを上方から覆う平板形の補助押さえ部材と、前記原稿載置台に対して開閉自在に設けられ、閉じられた状態において前記補助押さえ部材を上方から覆う本押さえ部材と、を有し、前記補助押さえ部材の主面に、貫通孔が形成されている、原稿読取装置である。
【０００７】
また、本発明の別の一局面にかかる画像形成装置は、上記の原稿読取装置と、前記原稿読取装置が原稿を読み取って取得した画像を記録紙に形成する画像形成部と、を備える画像形成装置である。
【０００８】
上記の本発明によれば、ユーザーが読取り対象の原稿をコンタクトガラス上の正しい位置に載置することができ、かつ載置した原稿がその正しい位置からずれることがない。
【図面の簡単な説明】
【０００９】
【図１】本発明の一実施形態にかかる原稿読取装置を備えた画像形成装置を示す斜視図である。
【図２】本発明の一実施形態にかかる原稿読取装置において本押さえ部材が開かれた状態を示す図である。
【図３】本発明の一実施形態にかかる原稿読取装置において本押さえ部材および補助押さえ部材の両方が開かれた状態を示す図である。
【図４】（Ａ）〜（Ｃ）は、本発明の一実施形態にかかる原稿読取装置に読取り対象の原稿を載置する手順を示す図である。
【図５】（Ａ）は、本発明の一実施形態にかかる補助押さえ部材を示す上面図であり、（Ｂ）は、比較例にかかる補助押さえ部材を示す上面図である。
【図６】（Ａ）は、本発明の一実施形態にかかる補助押さえ部材を示す上面図であり、（Ｂ）〜（Ｅ）は、変形例にかかる補助押さえ部材を示す上面図である。
【図７】（Ａ）および（Ｂ）は、変形例にかかる補助押さえ部材を示す上面図である。
【発明を実施するための形態】
【００１０】
以下、本発明の一実施形態にかかる原稿読取装置およびこれを備えた画像形成装置について図面を参照して説明する。図１は、本発明の一実施形態にかかる原稿読取装置１０を備えた画像形成装置１を示す斜視図である。
【００１１】
画像形成装置１は、ファクシミリ通信機能、コピー機能、プリンター機能、およびスキャナー機能等の複数の機能を兼ね備えた複合機である。図１に示すように、画像形成装置１は、装置本体４０と、装置本体４０の上方（Ｙ方向側）に配置された原稿読取装置１０とから概略構成される。
【００１２】
装置本体４０の外郭を構成する筐体４１の内部には、不図示の給紙部や画像形成部等が収容されている。
【００１３】
給紙部は、用紙（記録紙）を収容する給紙カセットや、当該給紙カセットに収容された用紙を画像形成部に向けて繰り出す繰出ローラー等を備えている。
【００１４】
画像形成部は、感光体ドラム、帯電装置、露光装置、および現像装置等を備え、帯電、露光、現像の工程により、感光体ドラムに原稿読取装置１０が読み取った原稿のトナー画像を形成する。給紙部から搬送された用紙は、感光体ドラムに形成されたトナー像が転写され、定着処理が施された後に排出トレイ４４に排出される。
【００１５】
装置本体４０の筐体４１の前面には、表示部６１および物理キー６２からなる操作部６０が配置されている。
【００１６】
表示部６１は、液晶ディスプレイや有機ＥＬディスプレイで構成され、その表示面を上方に向けて配置されている。表示部６１は、原稿読取や画像形成等に関する操作画面を表示する。
【００１７】
物理キー６２は、例えば、操作画面を構成するＧＵＩのフォーカスを移動させる矢印キー、操作画面を構成するＧＵＩに対して確定操作を行う決定キー、数値キー等である。物理キー６２は、表示部６１に表示される操作画面に対する操作をユーザーから受け付ける操作部として機能する。
【００１８】
続いて既説の図１に加えて、図２および図３を用いて、原稿読取装置１０の構成を説明する。図２は、原稿読取装置１０において本押さえ部材３０が開かれた状態を示す斜視図である。また図３は、原稿読取装置１０において本押さえ部材３０および補助押さえ部材４０の両方が開かれた状態を示す斜視図である。これらの図に示すように、原稿読取装置１０は、原稿載置台５０と、原稿載置台５０に載置された原稿を上方から押さえる原稿押さえ機構２０とを備えている。
【００１９】
原稿載置台５０は、その中央部にガラス等の光透過性の部材からなるコンタクトガラス５１が設けられている。コンタクトガラス５１上に読取り対象の原稿が載置される。コンタクトガラス５１の下方には、主走査方向（Ｚ方向）に延びたラインセンサを有する読取ユニット（不図示）が設けられている。当該読取ユニットは、モーターやギア等からなる駆動部により副走査方向（Ｘ方向）に往復移動される。
【００２０】
読取ユニットは、ＬＥＤ（Light Emitting Diode）等の発光部により、赤、緑、青の３色の光を切り替えながらコンタクトガラス５１上に載置された原稿に向けて光を照射するとともに、ＣＭＯＳ（Complementary Metal Oxide Semiconductor）センサー等の受光部により原稿で反射された反射光を受光する。受光部は、受光した光を電気信号へ変換して、主走査方向の１ライン分の画像データを取得する。当該画像データは、画像形成装置１に内蔵されたＡ／Ｄ変換部によってディジタル信号化された後、さらにシェーディング補正、ガンマ補正、色収差補正、ＭＴＦ（Modulation Transfer Function）補正およびスキャナー色補正等の様々な画像処理が施される。そして、当該画像処理により生成された画像データは、原稿読取装置１０や画像形成装置１に内蔵されたメモリーやＨＤＤ（Hard Disk Drive）等に記憶される。
【００２１】
原稿押さえ機構２０は、本押さえ部材３０および補助押さえ部材４０の２つの部材から構成されている。本押さえ部材３０および補助押さえ部材４０は、ともに原稿載置台５０に対して開閉自在に設けられている。
【００２２】
補助押さえ部材４０は、プラスチック等の光透過性の部材から構成される平板であり、原稿載置台５０と本押さえ部材３０との間に設けられている。補助押さえ部材４０は、その端部が原稿載置台５０に設けられた開閉軸５２により支持されており、開閉軸５２を支点として原稿載置台５０に対して開閉する。補助押さえ部材４０は、補助押さえ部材４０が閉じられた状態において、コンタクトガラス５１を上方から覆い、コンタクトガラス５１上の原稿を固定する原稿押さえとしての役割を果たす。
【００２３】
本押さえ部材３０は、白色のシート部材および柔軟性を有するクッション材からなるプラテンマット３１を有する。本押さえ部材３０は、本押さえ部材３０が閉じられた状態において、補助押さえ部材４０を上方から覆う。このときプラテンマット３１は、補助押さえ部材４０を介してコンタクトガラス５１に対向し、コンタクトガラス５１上の原稿を補助押さえ部材４０とともに固定する原稿押さえとしての役割を果たす。また、補助押さえ部材４０が光透過性の部材から構成されるため、原稿読取の際に読取ユニットから出射された光は、補助押さえ部材４０を透過して本押さえ部材３０に到達する。このため本押さえ部材３０は、読取ユニットから出射された光を高反射率で反射する反射部材としての役割も果たす。
【００２４】
ここで補助押さえ部材４０には、表面（本押さえ部材３０および補助押さえ部材４０が閉じられた状態において本押さえ部材３０に対向する主面）から裏面（本押さえ部材３０および補助押さえ部材４０が閉じられた状態においてコンタクトガラス５１に対向する面）まで貫く貫通孔４１が形成されている。当該貫通孔４１の開口は、補助押さえ部材４０の矩形の表面を構成する四辺のうちＸ方向に延びる一辺に沿って延びた長尺形となっており、その大きさが少なくともユーザーの手が挿入可能な大きさとなっている。
【００２５】
また、補助押さえ部材４０の表面には、コンタクトガラス５１上において原稿を載置すべき領域を示す白色のガイド線４２Ａ、４２Ｂ、４２Ｃ、４２Ｄが形成されている。補助押さえ部材４０は、光透過性の部材から構成されるため、補助押さえ部材４０が閉じられた状態において、コンタクトガラス５１上にガイド線４２Ａ、４２Ｂ、４２Ｃ、４２Ｄが示されることになる。ユーザーは、コンタクトガラス５１上に示されたガイド線４２Ａ、４２Ｂ、４２Ｃ、４２Ｄを参照することで、コンタクトガラス５１上において原稿を載置すべき領域を特定することができる。なお、白色のガイド線４２Ａ、４２Ｂ、４２Ｃ、４２Ｄは、補助押さえ部材４０の裏面に形成してもよい。
【００２６】
ガイド線４２Ａ、４２Ｂ、４２Ｃ、４２Ｄは、用紙サイズが異なる原稿毎に設けられている。例えば、ガイド線４２Ａは、レターサイズの原稿を載置すべきコンタクトガラス５１上の領域を示す。また、ガイド線４２Ｂは、Ａ５サイズの原稿を載置すべきコンタクトガラス５１上の領域を示す。
【００２７】
また、ガイド線４２Ａ、４２Ｂ、４２Ｃ、４２Ｄの付近には、各ガイド線４２Ａ、４２Ｂ、４２Ｃ、４２Ｄに対応する用紙サイズが白色で印字されている。例えば、ガイド線４２Ａの付近には、「ＬＥＴＴＥＲ」の文字が白色で印字されている。また、ガイド線４２Ｂの付近には、「Ａ５」の文字が白色で印字されている。
【００２８】
上記のように、補助押さえ部材４０の表面は、ガイド線４２Ａ、４２Ｂ、４２Ｃ、４２Ｄにより用紙サイズが異なる原稿毎に対応した複数の領域に分割されている。図２および図３に示す例では、補助押さえ部材４０の表面が、レターサイズの原稿に対応する領域、Ａ５サイズの原稿に対応する領域、Ａ４サイズの原稿に対応する領域、およびＢ４サイズの原稿に対応する領域に分割されている。そして貫通孔４１の開口は、当該分割された複数の領域のうち、少なくとも２つの領域を跨いでいる。図２および図３に示す例では、貫通孔４１の開口がガイド線４２Ａ、４２Ｂ、４２Ｃと交わっている。すなわち、貫通孔４１の開口が、レターサイズの原稿に対応する領域、Ａ５サイズの原稿に対応する領域、Ａ４サイズの原稿に対応する領域、およびＢ４サイズの原稿に対応する領域を跨いでいる。
【００２９】
図４（Ａ）〜図４（Ｃ）は、原稿読取装置１０に読取り対象の原稿を載置する手順を示す図である。以下、これらの図に沿ってこの手順を順に説明する。
【００３０】
（第１の手順）
図４（Ａ）に示すように、ユーザーは、本押さえ部材３０および補助押さえ部材４０の両方を開いた状態で、コンタクトガラス５１上に読取り対象の原稿を載置する。図４（Ａ）に示す例では、読取り対象の原稿はＡ５サイズの原稿である。原稿載置台５０の端部に原稿を載置すべきコンタクトガラス５１上の領域を示す目盛り等が設けられている場合、ユーザーは、当該目盛り等を参照して読取り対象の原稿をコンタクトガラス５１上に載置する。一方、原稿載置台５０の端部に上記の目盛り等が設けられていない場合、ユーザーは、コンタクトガラス５１上の適当な位置に読取り対象の原稿を載置する。
【００３１】
（第２の手順）
原稿をコンタクトガラス５１上に載置した後、ユーザーは、補助押さえ部材４０を閉じる（図４（Ａ）の矢印参照）。これにより、図４（Ｂ）に示す状態となり、コンタクトガラス５１上に載置された原稿が補助押さえ部材４０により固定される。また図４（Ｂ）に示す状態では、原稿を載置すべき領域を示したガイド線４２Ａ、４２Ｂ、４２Ｃ、４２Ｄ、および読取り対象の原稿を上方から視認することが可能になっている。
【００３２】
ここで、原稿載置台５０の端部に上記の目盛り等が設けられていない場合、第１の手順において原稿が載置すべき正しい位置に載置されていないことが多い。また、原稿載置台５０の端部に上記の目盛り等が設けられている場合であっても、ユーザーが目盛りを見誤ったり、補助押さえ部材４０を閉じる際に生じる風等により、原稿が正しい位置からずれる場合がある。図４（Ｂ）に示す例では、ガイド線４２Ｂにより示されるＡ５サイズの原稿を載置すべき位置から、マイナスＸ方向およびマイナスＺ方向に原稿がずれている。ガイド線４２Ａ、４２Ｂ、４２Ｃ、４２Ｄおよび読取り対象の原稿が上方から視認できるため、ユーザーは、原稿を載置すべき位置から原稿がずれていることを気づくことができる。
【００３３】
（第３の手順）
ユーザーは、貫通孔４１の開口を通じてコンタクトガラス５１上に載置された原稿に触れ、コンタクトガラス５１上での原稿の位置を調整する。図４（Ｃ）に示す例では、ガイド線４２Ｂにより示されるＡ５サイズの原稿を載置すべき位置に原稿を移動させる。原稿位置の調整後、ユーザーは、本押さえ部材３０を閉じる。貫通孔４１からのみ原稿が露出しており、それ以外の原稿部分は補助押さえ部材４０により固定されているため、本押さえ部材３０を閉じる際に生じる風等により原稿の載置位置がずれることがない。その後ユーザーは、操作部６０等を操作して原稿読取り指示を画像形成装置１に入力する。読取ユニットは、当該原稿読取り指示に基づき読取動作を行い、画像データを取得する。補助押さえ部材４０の表面に形成されたガイド線４２Ａ、４２Ｂ、４２Ｃ、４２Ｄ等が白色であるため、当該ガイド線４２Ａ、４２Ｂ、４２Ｃ、４２Ｄが画像データに写りこむことがない。
【００３４】
以上のように、上記の画像形成装置１および原稿読取装置１０によれば、読取り対象の原稿がコンタクトガラス５１上の正しい位置に載置された状態で原稿を読み取ることが可能となり、ユーザーの所望する出力を得ることができる。
【００３５】
また、貫通孔４１の開口が補助押さえ部材４０の分割された複数の領域を跨いでいるため、どのような原稿サイズの原稿であっても原稿を折れ曲げたり、シワを作ることなく、コンタクトガラス５１上での原稿の位置を調整することが可能である。図５（Ａ）および図５（Ｂ）を用いてこの点について説明する。
【００３６】
図５（Ａ）は、本発明の一実施形態にかかる補助押さえ部材４０を示す上面図である。図５（Ｂ）は、比較例にかかる補助押さえ部材４０１を示す上面図である。比較例にかかる補助押さえ部材４０１では、貫通孔４１１の開口がレターサイズの原稿に対応する領域にのみに形成されている。
【００３７】
図５（Ａ）および図５（Ｂ）が示す例では、Ａ４サイズの原稿がコンタクトガラス５１上に載置されている。当該原稿は、Ａ４サイズの原稿を載置すべき位置からＸ方向にずれている。この場合、ユーザーは、コンタクトガラス５１上に載置された原稿に触れ、原稿に対してマイナスＸ方向に向けて力を加える。図５（Ａ）に示す場合では、貫通孔４１の開口が補助押さえ部材４０の分割された複数の領域を跨いでいるため、原稿のマイナスＸ方向における端部に近い位置を触れて原稿に力を加えることが可能である。このため、原稿にマイナスＸ方向に向けて力を加えたことにより、原稿が折れ曲がったりシワができるおそれが少ない。一方、図５（Ｂ）に示す例では、貫通孔４１１の開口がレターサイズの原稿に対応する領域にのみに形成されているため、原稿のマイナスＸ方向における端部に近い位置を触れることができない。このため、原稿にマイナスＸ方向に向けて力を加えたことにより、原稿が折れ曲がったりシワができるおそれがある。
【００３８】
なお、本発明は、上記の実施の形態の構成に限られず種々の変形が可能である。
【００３９】
図６（Ａ）は、上記の実施形態で説明した補助押さえ部材４０を示す上面図であり、図６（Ｂ）〜図６（Ｅ）、図７（Ａ）および図７（Ｂ）は、変形例１〜変形例６にかかる補助押さえ部材を示す上面図である。
【００４０】
図６（Ａ）に示すように、上記の実施形態では、貫通孔４１の開口が、補助押さえ部材４０の矩形の表面を構成する四辺のうちＸ方向に延びる一辺に沿って延びた長尺形である場合を説明した。これに対して、図６（Ｂ）に示す変形例１にかかる補助押さえ部材４０２では、貫通孔４１２の開口が補助押さえ部材４０２の矩形の表面を構成する四辺のうちＺ方向に延びる一辺に沿って延びた長尺形となっている。貫通孔４１２の開口の形状をこのような形状にすることで、上記の実施形態で説明した補助押さえ部材４０と比較して、Ｚ方向への原稿位置の調整が容易となる。
【００４１】
また、図６（Ｃ）に示す変形例２にかかる補助押さえ部材４０３では、貫通孔４１３の開口が、補助押さえ部材４０３の矩形の表面を構成する四辺のうちＸ方向に延びる一辺に沿って延びた長尺形の開口と、Ｚ方向に延びる一辺に沿って延びた長尺形の開口とが交差してなる十字形の開口となっている。貫通孔４１２の開口の形状をこのような形状にすることで、Ｘ方向およびＺ方向への原稿位置の調整が容易となる。
【００４２】
また、図６（Ｄ）に示す変形例３にかかる補助押さえ部材４０４では、複数の貫通孔４１４Ａ〜４１４Ｄが形成されている。当該貫通孔４１４Ａ〜４１４Ｄは、ガイド線４２Ａ、４２Ｂ、４２Ｃ、４２Ｄにより分割された複数の領域のそれぞれに少なくとも１つずつ形成されている。図６（Ｄ）に示す例では、レターサイズの原稿に対応する領域に貫通孔４１４Ａが形成され、Ａ５サイズの原稿に対応する領域に貫通孔４１４Ｂが形成され、Ａ４サイズの原稿に対応する領域に貫通孔４１４Ｃが形成され、Ｂ４サイズの原稿に対応する領域に貫通孔４１４Ｄが形成されている。このように貫通孔４１４Ａ〜４１４Ｄを形成することで、どのような原稿サイズの原稿であっても、原稿を折れ曲げたりシワを作ることなく、コンタクトガラス５１上での原稿の位置を調整することが可能である。
【００４３】
また、図６（Ｅ）に示す変形例４にかかる補助押さえ部材４０７では、貫通孔４１７の開口が補助押さえ部材４０７の矩形の表面を構成する四辺のそれぞれに対して角度を有する方向、すなわち斜め方向に延びた長尺形となっている。貫通孔４１７の開口の形状をこのような形状にすることで、Ｘ方向およびＺ方向への原稿位置の調整が容易となる。
【００４４】
また、図７（Ａ）に示す変形例５にかかる補助押さえ部材４０５では、ガイド線４２５Ａ、４２５Ｂ、４２５Ｃ、４２５Ｄが直線ではなく、点線で形成されている。また、図７（Ｂ）にかかる変形例６にかかる補助押さえ部材４０６では、ガイド線４２６Ａ、４２６Ｂ、４２６Ｃ、４２６Ｄが、用紙サイズが異なる原稿毎に対応した複数の領域を取り囲むように形成されるのではなく、当該領域の端部の位置（角の位置）のみを示すように形成されている。ガイド線をこのように形成した場合であっても、ユーザーに対して原稿を載置すべきコンタクトガラス５１上の位置を示すことができる。
【符号の説明】
【００４５】
１      画像形成装置
１０    原稿読取装置
２０    原稿押さえ機構
３０    本押さえ部材
３１    プラテンマット
４０    補助押さえ部材
４１    貫通孔
５０    原稿載置台
５１    コンタクトガラス
【図１】
2017034414.tif 000003
【図２】
2017034414.tif 000004
【図３】
2017034414.tif 000005
【図４】
2017034414.tif 000006
【図５】
2017034414.tif 000007
【図６】
2017034414.tif 000008
【図７】
2017034414.tif 000009